(57)【要約】【課題】フィルタパネルをＶ形に配置したケミカルフィルタユニットにおいて、ガス吸着性能を低下させることなく、圧力損失を抑制する。【解決手段】フィルタパネル２１、２１は、一端部同士２１Ａ、２１Ａが空隙４４を介して近接し、Ｖ形を呈する。フィルタパネル２１、２１の近接する隅部２１Ｅ、２１Ｅに、第１及び第２Ｌ字状部材７１、７２を嵌合する。第１及び第２Ｌ字状部材７１、７２それぞれは、一端部２１Ａ、２１Ａの端面２１Ｄ、２１Ｄの一部を覆う第１被覆部５１と、互いに相対する一面２１Ｃ、２１Ｃの一部を覆う第１及び第２突出部６１、６２から成る。これらの先端５１Ｂ、６１Ｂ間の離間距離Ｒは、フィルタ厚さＴと一致する。第１及び第２Ｌ字状部材７１、７２は、接着剤で接着されて空隙４４を塞ぐ。【選択図】図３
2010227797.tif 000002
【特許請求の範囲】
【請求項１】
通気性を有するケース内に吸着剤が充填されてそれぞれが構成され、一端部同士が空隙を介して近接するとともに、他端部同士が離間してＶ形に配置され、一面同士が互いに相対する一対のフィルタパネルと、
一方のフィルタパネルの前記一端部の端面の一部を覆う第１被覆部と、前記第１被覆部から突出して前記一方のフィルタパネルの前記一面の一部を覆う第１突出部とを有する第１部材と、
他方のフィルタパネルの前記一端部の端面の一部を覆う第２被覆部と、前記第２被覆部から突出して前記他方のフィルタパネルの前記一面の一部を覆う第２突出部とを有する第２部材とを備え、
前記第１及び第２部材は、前記空隙を塞ぐように接続されていることを特徴とするケミカルフィルタユニット。
【請求項２】
前記第１被覆部の先端と前記第１突出部の先端との離間距離が、前記一方のフィルタパネルの厚さ以上であるとともに、
前記第２被覆部の先端と前記第２突出部の先端との離間距離が、前記他方のフィルタパネルの厚さ以上であることを特徴とする請求項１に記載のケミカルフィルタユニット。
【請求項３】
前記第１被覆部の先端と前記第１突出部の先端との離間距離が、前記一方のフィルタパネルの厚さに等しく、
前記第２被覆部の先端と前記第２突出部の先端との離間距離が、前記他方のフィルタパネルの厚さに等しいことを特徴とする請求項２に記載のケミカルフィルタユニット。
【請求項４】
前記第１突出部が前記第１被覆部の基端から突出するとともに、これらが一体となって第１Ｌ字状部材を構成し、
前記第１Ｌ字状部材が前記一方のフィルタパネルの前記一面と前記端面とで形成される隅部に嵌合することを特徴とする請求項１に記載のケミカルフィルタユニット。
【請求項５】
前記第２突出部が前記第２被覆部の基端から突出するとともに、これらが一体となって第２Ｌ字状部材を構成し、
前記第２Ｌ字状部材が前記他方のフィルタパネルの前記一面と前記端面とで形成される隅部に嵌合し、
前記第１被覆部の基端が、前記第２被覆部の基端に接続されていることを特徴とする請求項４に記載のケミカルフィルタユニット。  
【請求項６】
前記第１及び第２部材は、接着剤によって接着されて接続されていることを特徴とする請求項１に記載のケミカルフィルタユニット。  
【請求項７】
前記一対のフィルタパネルは、前後に開口されたフィルタ枠の内部に配置され、
前記一端部が前記フィルタ枠の一方の開口部側に、前記他端部が前記フィルタ枠の他方の開口部側に配置され、
前記第１及び第２部材は、前記一方の開口部側において前記フィルタ枠に掛け渡されるように設けられることを特徴とする請求項１に記載のケミカルフィルタユニット。
【請求項８】
通気性を有するケース内に吸着剤が充填されてそれぞれが構成され、一端部同士が空隙を介して近接するとともに、他端部同士が離間してＶ形に配置される一対のフィルタパネルと、
前記一対のフィルタパネルの前記一端部の両端面にわたって設けられ、前記両端面それぞれの一部及び前記空隙を覆う前方被覆部と、
前記前方被覆部から、前記空隙を通って、前記一対のフィルタパネルの互いに相対する一面それぞれの一部を覆うように突出する側方被覆部と
を備えるケミカルフィルタユニット。
【発明の詳細な説明】
【技術分野】
【０００１】
通気性のあるケース内に吸着剤が充填された一対のケミカルフィルタパネルが接続されて、Ｖ形に形成されたケミカルフィルタユニットに関する。
【背景技術】
【０００２】
従来、空気中の酸性ガス、塩基性ガス、有機ガス等を除去する目的で、活性炭やイオン交換樹脂等の吸着剤を利用したケミカルフィルタが使用されている（例えば特許文献１参照）。このようなケミカルフィルタの一例としては、通気性のある板状のケース内部に、吸着剤を充てんして構成されるケミカルフィルタパネルが知られている。
【０００３】
ケミカルフィルタパネルは、例えばフィルタの有効面積を向上させること等を目的として、一対のパネルの一端部同士が近接させられるとともに、他端部同士が離間させられるようにして、Ｖ形を呈するようにフィルタ枠内に配置されることがある。Ｖ形を呈する一対のフィルタパネルは、一端部がフィルタ枠の一方の開口部に、他端部が他方の開口部に配置される。そして、一方の開口部には、一端部の両端面間の隙間をシールし、さらにフィルタパネルがフィルタ枠外部に脱落するのを防止するために、それら両端面を押える押さえ板が掛け渡されている。
【先行技術文献】
【特許文献】
【０００４】
【特許文献１】特開２００５−３１３１４４号公報
【発明の概要】
【発明が解決しようとする課題】
【０００５】
押さえ板は、両端面の全面を覆うように設けられることが一般的であるが、両端面全面を押さえ板で覆うと、フィルタ枠の開口面積が狭くなり、エアフィルタにおける圧力損失が大きくなるという問題がある。一方、圧力損失が大きくならないように、両端面の一部のみを押え板で覆うと、端面からフィルタパネル内に空気が侵入することになる。そのため、通風の最短経路がパネル厚さよりも短くなり、フィルタのガス吸着除去性能が低下するという問題が生じる。
【０００６】
そこで、本発明は以上の問題点に鑑みてなされたものであり、ガス吸着性能を低下させることなく、圧力損失を抑制することができるケミカルフィルタユニットを提供することを目的とする。
【課題を解決するための手段】
【０００７】
本発明に係るケミカルフィルタユニットは、通気性を有するケース内に吸着剤が充填されてそれぞれが構成され、一端部同士が空隙を介して近接するとともに、他端部同士が離間してＶ形に配置され、一面同士が互いに相対する一対のフィルタパネルと、一方のフィルタパネルの一端部の端面の一部を覆う第１被覆部と、第１被覆部から突出して一方のフィルタパネルの一面の一部を覆う第１突出部とを有する第１部材と、他方のフィルタパネルの一端部の端面の一部を覆う第２被覆部と、第２被覆部から突出して他方のフィルタパネルの一面の一部を覆う第２突出部とを有する第２部材とを備え、第１及び第２部材は、空隙を塞ぐように接続されていることを特徴とする。
【０００８】
第１被覆部の先端と第１突出部の先端との離間距離が、一方のフィルタパネルの厚さ以上であるとともに、第２被覆部の先端と第２突出部の先端との離間距離が、他方のフィルタパネルの厚さ以上であることが好ましい。また、より好ましくは、第１被覆部の先端と第１突出部の先端との離間距離は、一方のフィルタパネルの厚さに等しく、第２被覆部の先端と第２突出部の先端との離間距離は、他方のフィルタパネルの厚さに等しくなる。また、第１及び第２部材は、例えば、接着剤によって接着されて接続されている。
【０００９】
第１突出部が第１被覆部の基端から突出するとともに、これらが一体となって第１Ｌ字状部材を構成する場合、第１Ｌ字状部材は、一方のフィルタパネルの一面と端面とで形成される隅部に嵌合することが好ましい。第２突出部が第２被覆部の基端から突出するとともに、これらが一体となって第２Ｌ字状部材を構成しても良い。この場合、第２Ｌ字状部材は他方のフィルタパネルの一面と端面とで形成される隅部に嵌合するとともに、第１被覆部の基端は、第２被覆部の基端に接続されていることが好ましい。
【００１０】
一対のフィルタパネルは、例えば、前後に開口されたフィルタ枠の内部に配置される。この場合、一端部はフィルタ枠の一方の開口部側に、他端部はフィルタ枠の他方の開口部側に配置される。第１及び第２の部材は、フィルタ枠に固定されていることが好ましい。具体的には、第１及び第２の部材は、例えば、一方の開口部において掛け渡されるように設けられる。
【００１１】
本発明に係る別の態様のケミカルフィルタユニットは、通気性を有するケース内に吸着剤が充填されてそれぞれが構成され、一端部同士が空隙を介して近接するとともに、他端部同士が離間してＶ形に配置される一対のフィルタパネルと、一対のフィルタパネルの一端部の両端面にわたって設けられ、両端面それぞれの一部及び空隙を覆う前方被覆部と、前方被覆部から、空隙を通って、一対のフィルタパネルの互いに相対する一面それぞれの一部を覆うように突出する側方被覆部とを備える。
【発明の効果】
【００１２】
本発明においては、押さえ部がフィルタパネルの一端部の端面の一部しか覆わなくても、突出部によって通風の最短経路が短くなることが防止される。したがって、ケミカルフィルタユニットのガス吸着性能を低下させることなく、圧力損失を抑制することができる。
【図面の簡単な説明】
【００１３】
【図１】エアフィルタを示す正面図である。
【図２】図１のII−II線における断面図である。
【図３】押さえ部の構成を示すための側面図である。
【発明を実施するための形態】
【００１４】
以下、本発明の一実施形態について図面を参照しつつ説明する。
図１は、本発明に係るエアフィルタの正面図を、図２は図１のII−II線における断面図である。なお、図１は、天枠部側の２つの押さえ部が取り外された状態を示す。エアフィルタ１０は、フィルタ枠１１と、フィルタ枠１１の内部に配置されるケミカルフィルタユニット２０とを備える。
【００１５】
フィルタ枠１１は、互いに対向し平行に配置される板状の天枠部１２及び地枠部１３と、互いに対向し平行に配置される板状の両側枠部１４、１５を備え、これら枠部１２〜１５によって四角枠形に形成される。フィルタ枠１１は、前後に開口されており、前方開口部３９Ａから後方開口部３９Ｂに向けてエアが通過させられる。なお、以下の説明では、天枠部１２及び地枠部１３が対向する方向を天地方向、両側枠部１４、１５が対向する方向を左右方向として説明する。左右方向は、天地方向に直交する方向である。
【００１６】
ケミカルフィルタユニット２０は、複数のフィルタパネル２１から構成される。各フィルタパネル２１は、通気性を有するケース２２内部に吸着剤が充填されて構成される。ケース２２（パネル２１）は、その一面２１Ｃと、一面２１Ｃの反対側の面である他面２１Ｓが平行な四角形板状を呈する。ケース２２は、パンチング加工によって、その全面に多数の孔２３（図３参照）が形成されることにより通気性を有する。ケース２２内部の吸着剤は、例えば、活性炭、ゼオライト、イオン交換樹脂、アルミナ等であって、酸性ガス、塩基性ガス、有機ガス等のガス状不純物を吸着するものである。
【００１７】
各フィルタパネル２１は、天地方向に複数並べられ、一端部（前後方向における一方の端部）２１Ａが前方開口部３９Ａ側に配置されると共に、他端部（前後方向における他方の端部）２１Ｂが後方開口部３９Ｂ側に配置される。前方開口部３９Ａにおいて、天地方向において隣接する２つのパネル２１、２１の一端部２１Ａ、２１Ａは、近接或いは離間している。そして、これら一端部２１Ａ、２１Ａは、天枠部１２から地枠部１３に向けて、近接と離間を交互に繰り返す。同様に、後方開口部３９Ｂにおいて、天地方向において隣接する２つのパネル２１、２１の他端部２１Ｂ、２１Ｂは、天枠部１２から地枠部１３に向けて、離間と近接を交互に繰り返している。これにより、図２に示すように左側枠部１３（又は右側枠部１４）側から見ると、天地方向に隣接する２つのパネル２１、２１はＶ形を形成し、ケミカルフィルタユニット２０は、Ｖ形が複数接続されたジグザグ形状を呈する。
【００１８】
フィルタ枠の両側枠部１４、１５それぞれの内面には、複数のガイドレール１６が設けられる。各ガイドレール１６は直線状を呈するとともに、各フィルタパネル２１の配置位置に対応して設けられる。すなわち、各側枠部１４、１５の内面それぞれには、ガイドレール１６が複数設けられ、その複数のガイドレール１６は、各側枠部１４、１５の内面においてジグザグ状に配置される。各ガイドレール１６には、フィルタパネル２１の側端部２１Ｆ、２１Ｇ（左右方向における両端部）が摺動可能に挿入され、フィルタパネル２１が両側枠部１４、１５に支持される。各フィルタパネル２１は、ガイドレール１６に沿って前後に移動して、前方開口部３９Ａ又は後方開口部３９Ｂからフィルタ枠１１内部に出し入れすること可能である。
【００１９】
また、天枠部１２の前端部及び後端部それぞれは、折り曲げられており、地枠部１３に向かって立ち上げられた立上部１７Ａ、１７Ｂが設けられる。また、地枠部１３の前端部及び後端部それぞれは、折り曲げられており、天枠部１２に向かって立ち上げられた立上部１８Ａ、１８Ｂが設けられる。立上部１７Ｂ、１８Ｂの内面には、左右方向に長い断面Ｌ字のＬ字部１９、１９が取り付けられており、Ｌ字部１９の内面と、天枠部１２または地枠部１３それぞれの内面によって、溝２５、２５が形成される。
【００２０】
ケミカルフィルタユニット２０において、最も天枠部１２側及び最も地枠部１３側に配置されたフィルタパネル２１、２１の他端部２１Ｂ、２１Ｂは、他のフィルタパネル２１に接続されずに、溝２５、２５内部に挿入され、天枠部１２及び地枠部１３に接続される。
【００２１】
前方開口部３９Ａには、左右方向に長く延びる複数の押さえ部３１が配設される。押さえ部３１は、前方開口部３９Ａにおいて天地方向に等間隔に並べられる。同様に、後方開口部３９Ｂには、左右方向に長く延びる複数の押さえ部３２が配設される。押さえ部３２は、後方開口部３９Ｂにおいて天地方向に等間隔に並べられる。押さえ部３１、３２は、その長手方向における（例えば、後述する被覆部５１、５２の両端）両端それぞれが、両側枠部１４、１５それぞれにネジ等によって固定されており、両側枠部１４、１５間に掛け渡されるように設けられる。
【００２２】
押さえ部３１は、前方開口部３９Ａにおいて、近接する２つの一端部２１Ａ、２１Ａの両端面２１Ｄ、２１Ｄを押さえつけるように配置される。押さえ部３２は、後方開口部３９Ｂにおいて、近接する２つの他端部２１Ｂ、２１Ｂの両端面２１Ｈ、２１Ｈを押さえつけるように配置される。押さえ部３１、３２は、フィルタパネル２０がフィルタ枠１１から脱落するのを防止する。また、一端部２１Ａ、２１Ａ間又は他端部２１Ｂ、２１Ｂ間の空隙４４（図３参照）からエアが通過するのを防止するとともに、両端面２１Ｄ、２１Ｄ又は両端面２１Ｈ、２１Ｈの一部からフィルタパネル２１内部にエアが侵入するのを防止する。
【００２３】
図３は、一端部２１Ａ、２１Ａが近接してＶ形を呈する一対のフィルタパネル２１、２１を示す側面図である。次に、図３を用いて、押さえ部についてさらに詳細に説明する。なお、本実施形態では、前方開口部３９Ａ側に設けられた１つの押さえ部３１の構成を説明するが、その他の押さえ部３１、３２の構成も同様であるので、その説明は省略する。
【００２４】
図３に示すように、一対のフィルタパネル２１、２１は、それらの一面２１Ｃ、２１Ｃ同士が相対している。また、一面２１Ｃと一端部２１Ａの端面２１Ｄとの接続部分である、パネルの隅部２１Ｅ、２１Ｅ同士は、空隙４４を介して近接するとともに、一面２１Ｃ、２１Ｃ同士は、他端部２１Ｂ、２１Ｂ（図２参照）に向かうに従って互いに遠ざかるように配置される。
【００２５】
押さえ部３１は、前方被覆部４１、及び側方被覆部４２を備える。前方被覆部４１は、一対のフィルタパネル２１、２１の一端部２１Ａ、２１Ａの両端面２１Ｄ、２１Ｄにわたって設けられ、両端面２１Ｄ、２１Ｄ及び空隙４４を覆う。側方被覆部４２は、前方被覆部４１から、空隙４４を通って後方に突出する。
【００２６】
前方被覆部４１は、一方のフィルタパネル２１の一端部２１Ａの端面２１Ｄを覆う第１被覆部５１と、他方のフィルタパネル２１の一端部２１Ａの端面２１Ｄを覆う第２被覆部５２と、これらを接着する接着剤５３で構成される。第１及び第２被覆部５１、５２は、図１に示すように、左右方向に長い略矩形の板形状を呈する。側方被覆部４２は、一対のフィルタパネル２１、２１の一面２１Ｃ、２１Ｃそれぞれの一部を覆う第１及び第２突出部６１、６２を備える。
【００２７】
第１突出部６１は、第１被覆部５１の基端５１Ａ（幅方向における一端）から突出する。第１突出部６１は、第１被覆部５１と一体となり、断面Ｌ字形の第１Ｌ字状部材７１を構成する。第１Ｌ字状部材７１は、一方のフィルタパネル２１の隅部２１Ｅに嵌合し、これにより、第１被覆部５１及び第１突出部６１それぞれは、一方のフィルタパネル２１の端面２１Ｄ及び一面２１Ｃそれぞれに当接する。
【００２８】
第２突出部６２は、第２被覆部５２の基端５２Ａ（幅方向における一端）から突出する。第２突出部６２は、第２被覆部５２と一体となり、断面Ｌ字形の第２Ｌ字状部材７２を構成する。第２Ｌ字状部材７２は、他方のフィルタパネル２１の隅部２１Ｅに嵌合し、これにより、第２被覆部５２及び第２突出部６２それぞれは、他方のフィルタパネル２１の端面２１Ｄ及び一面２１Ｃそれぞれに当接する。なお、第１及び第２突出部６１、６２それぞれは、第１及び第２被覆部５１、５２それぞれに対して垂直に配置される。
【００２９】
第１及び第２突出部６１、６２は、第１及び第２の側方被覆部５１、５２と同様に、左右方向に長い略矩形の板形状を呈する。第１及び第２突出部６１、６２は、第１及び第２被覆部５１、５２の長手方向における一端から他端まで設けられてもよいが、ガイドレール１６に接触しないように、両端部付近では取り除かれていても良い。
【００３０】
第１及び第２被覆部５１、５２は、これらの基端５１Ａ、５２Ｂ（すなわち、Ｌ字部材の角部）同士が、接着剤５３によって接着されて一体となり、前方被覆部４１を構成する。本実施形態では、被覆部５１、５２（すなわち、Ｌ字状部材７１、７２）間が接着剤５３によって接着されたことにより、一対のフィルタパネル２１、２１間の空隙４４が塞がれ、空隙４４を通ってエアが抜けることが防止される。
【００３１】
第１被覆部５１は、その幅長さＷが一方のフィルタパネル２１の厚さＴよりも短く、端面２１Ｄの一部しか被覆しない。同様に、第１突出部６１は、その突出高さ（幅長さ）Ｈが厚さＴよりも短く、一方のフィルタパネル２１の一面２１Ｃの端面２１Ｄ近傍部分しか被覆しない。したがって、押さえ部３１による圧力損失は、比較的小さくなる。
【００３２】
一方、本実施形態では、第１被覆部５１の先端５１Ｂ（幅方向における他端）と、第１突出部６１の先端６１Ｂ（幅方向における一端）との離間距離Ｒは、一方のフィルタパネル２１の厚さＴと一致している。端面２１Ｄからパネル２１内部に侵入したエアは、一面２１Ｃから排出されてパネル２１を通過するが、突出部６１に阻害されるため、端面２１Ｄ近傍では排出されない。そのため、端面２１Ｄからパネル２１内部に侵入したエアは、パネル２１の他面２１Ｓ（一面２１Ｃの反対側のパネル面）から侵入したエアと同様に、少なくともフィルタ厚さＴ分の経路を通過しなければならない。すなわち、本実施形態では、フィルタパネル２１における通風の最短経路の距離は、厚さＴ未満となることはないので、ケミカルフィルタユニット２０のガス吸着性能が低下することはない。
【００３３】
なお、第２被覆部５２、第２突出部６２、及び他方のフィルタパネル２１も、第１被覆部５１、第１突出部６１、及び一方のフィルタパネル２１と同様の寸法を有し、同様の作用を有するため、それらの説明は省略する。また、本実施形態では、離間距離Ｒは、厚さＴに等しいが、厚さＴより長くても良い。さらに、離間距離Ｒは、左右方向において位置が一致する部分における先端部５１Ｂ、６１Ｂ間の距離であって、先端部５１Ｂ、６１Ｂ間の最短離間距離に相当する。
【００３４】
次に、本実施形態におけるエアフィルタ１０の組み立て方法を説明する。本実施形態では、四角枠形のフィルタ枠１１に、まず、前方開口部３９Ａまたは後方開口部３９Ｂから、フィルタパネル２１が挿入される。次に、第１及び第２Ｌ字状部材７１、７２が、各フィルタパネル２１の各隅部２１Ｅ、２１Ｅに嵌合される。そして、これらＬ字状部材７１、７２の間に接着剤５３が流し込まれて、２つのＬ字状部材７１、７２が接着され、押さえ部３１、３２が形成される。また、各隅部２１Ｅ、２１Ｅに嵌合されたＬ字状部材７１、７２それぞれは、その長手方向における両端部がネジ等によって、両側枠部１４、１５に取り付けられ、これにより、エアフィルタ１０が得られる。
【００３５】
なお、本実施形態では、押さえ部３１、３２の一方は、２つのＬ字状部材７１、７２が予め溶接等によって接続され、一体化されていても良い。ただし、そのような押さえ部は、フィルタパネル２１がフィルタ枠１１に挿入される前に、フィルタ枠に取り付けておく必要がある。
【符号の説明】
【００３６】
１０  エアフィルタ
２０  ケミカルフィルタユニット
２１  フィルタパネル
２１Ａ  一端部
２１Ｃ  一面
２１Ｄ  端面
２１Ｅ  隅部
３１、３２  押さえ部
４１  前方被覆部
４２  側方被覆部
５１  第１被覆部
５２  第２被覆部
５３  接着剤
６１  第１突出部
６２  第２突出部
【図１】
2010227797.tif 000003
【図２】
2010227797.tif 000004
【図３】
2010227797.tif 000005